(57)【要約】  少なくとも一方が回動自在に支持された第１筐体及び第２筐体の夫々に、少なくとも第１マイクロフォン及び第２マイクロフォンを含む複数のマイクロフォンが配備され、設定された所定の録音モードで録音する機能を有する録音装置であって、第１筐体と第２筐体は上下方向に重ねて配置され、第１マイクロフォンと第２マイクロフォンとの相対位置に応じて、所定の録音モードを設定する手段を有することを特徴とする。この録音装置によれば、第１筐体と第２筐体との相対位置に応じて所定の録音モードが設定されるため、使用者にとってより直感的に所望する録音モードを設定することができる。
2012124422.tif 000002
【特許請求の範囲】
【請求項１】
上下方向に重ねて配置され、少なくとも一方が回動自在に支持された第１筐体(2)及び第２筐体(3)と、
前記第１筐体(2)及び前記第２筐体(3)の夫々に配備された第１マイクロフォン及び第２マイクロフォンを含む複数のマイクロフォンと、
前記第１マイクロフォンと前記第２マイクロフォンとの相対位置に応じて、所定の録音モードを設定するとともに、該設定された録音モードで録音する機能を有効化する制御部(32)とを備える、録音装置。
【請求項２】
前記複数のマイクロフォンは、前記第１筐体に前記第１マイクロフォンに対して対角方向に設けられた第３マイクロフォンと、前記第２筐体に前記第２マイクロフォンに対して対角方向に設けられた第４マイクロフォンとをさらに含み、
前記第１マイクロフォン及び前記第３マイクロフォンの一方と、前記第２マイクロフォン及び前記第４マイクロフォンの一方とが上下方向に重ねた位置となるように、前記１筐体(2)及び前記第２筐体(3)の少なくとも一方が回動されたとき、前記第１マイクロフォン及び前記第３マイクロフォンの一方と、前記第２マイクロフォン及び前記第４マイクロフォンの他方とは、互いに逆方向に指向性を有し、
前記第１マイクロフォンと前記第３マイクロフォンとを結ぶ第１対角線と、前記第２マイクロフォンと前記第４マイクロフォンとを結ぶ第２対角線とが、略直交状態になるように前記１筐体(2)及び前記第２筐体(3)の少なくとも一方が回動されたとき、前記第１マイクロフォンと前記第２マイクロフォンと前記第３マイクロフォンと前記第４マイクロフォンとは互いに異なる方向に指向性を有する、請求項１記載の録音装置。
【請求項３】
前記第１マイクロフォンは前記第１筐体(2)の側面近傍に配置され、
前記録音装置は、さらに、前記第１筐体(2)の天面上であって、前記第１マイクロフォンの近傍に設けられる第１センサを備え、
前記制御部(32)は、前記第１センサによる検出が為されると、前記第１マイクロフォンと対角方向に位置するマイクロフォンをオフにする、又は、該マイクロフォンから出力される音声信号に基づき前記第１マイクロフォンから出力される音声信号に含まれるノイズを軽減させる機能を有効化する請求項２に記載の録音装置。
【請求項４】
前記録音装置は、前記第１筐体(2)の天面上に設けられる第３センサと第４センサとをさらに備え、
前記第３センサと前記第４センサとは、前記１筐体(2)及び前記第２筐体(3)の少なくとも一方が回動されることによって、前記第２対角線が前記第１対角線と略直交する場合に、前記第２対角線上に設けられ、
前記第３センサによる検出が為されると、前記制御部(32)は、前記第３センサの近傍に位置するマイクロフォンに対して対角方向に位置するマイクロフォンをオフする又は、該マイクロフォンから出力される音声信号に基づき、前記第３センサの近傍に位置するマイクロフォンから出力される音声信号に含まれるノイズを軽減させる機能を有効化し、
前記第４センサによる検出が為されると、前記制御部(32)は、該第４センサの近傍に位置するマイクロフォンに対して対角方向に位置するマイクロフォンをオフする又は、該マイクロフォンから出力される音声信号に基づき、前記第４センサの近傍に位置するマイクロフォンから出力される音声信号に含まれるノイズを軽減させる機能を有効化する、請求項３に記載の録音装置。
【請求項５】
前記録音装置は、前記第１筐体(2)の天面上に設けられて、前記複数のマイクロフォンの状態を示す発光部をさらに備える、請求項１に記載の録音装置。
【請求項６】
前記録音装置は、前記第１筐体(2)の天面上に設けられて、回動軸(51)近傍に録音された音声を出力するスピーカ(36)をさらに備える、請求項１に記載の録音装置。
【発明の詳細な説明】
【技術分野】
【０００１】
本発明は、複数のマイクロフォンを有する録音装置に関する。
【背景技術】
【０００２】
複数のマイクロフォンを有する従来の録音装置の一例として、特開２００１−２９６３４３号公報（特許文献１）に記載された撮像装置が挙げられる。この撮像装置は、テレビ会議システム等に利用され、該複数のマイクロフォンを移動させることにより、所望の音源からの音声を録音する。
【先行技術文献】
【特許文献】
【０００３】
【特許文献１】特開２００１−２９６３４３号公報（Ｇ０１Ｓ  ３／８０８）
【発明の概要】
【発明が解決しようとする課題】
【０００４】
特許文献１に開示された撮像装置では、回転手段を介して上下方向に配置された第１筐体と第２筐体の夫々に設けられた２つのマイクロホンセットが該撮像装置に備えられる。第１筐体に設けられたマイクロホンセットの指向方向を話者などの音源に正しく向けられるように、そのマイクロホンセットを移動制御することが出来る。しかしながら第２筐体に設けられたマイクロホンセットは移動制御することが出来なかった。また、録音のための各マイクロフォンに対する設定等について、使用者は煩雑な操作を行わなければならなかった。また設定の自由度が低かった。【０００５】
本発明は上記の問題を解決するもので、この発明の目的の一つは、使用者が所望する録音形態をより直感的な操作で設定することが出来る、録音装置を提供するものである。
【課題を解決するための手段】
【０００６】
本発明に係る録音装置によれば、上下方向に重ねて配置され、少なくとも一方が回動自在に支持された第１筐体及び第２筐体と、第１筐体及び第２筐体の夫々に配備された少なくとも第１マイクロフォン及び第２マイクロフォンを含む複数のマイクロフォンと、第１マイクロフォンと第２マイクロフォンとの相対位置に応じて、所定の録音モードを設定するとともに、該設定された録音モードで録音する機能を有効化する制御部とを備える。【０００７】
この録音装置によれば、第１筐体と第２筐体との相対位置に応じて所定の録音モードが設定されるため、使用者にとってより直感的に所望する録音モードを設定することができる。【０００８】
この録音装置のある局面によれば、複数のマイクロフォンは、第１筐体に第１マイクロフォンに対して対角方向に設けられた第３マイクロフォンと、第２筐体に第２マイクロフォンに対して対角方向に設けられた第４マイクロフォンとをさらに含み、第１マイクロフォン及び第３マイクロフォンの一方と、第２マイクロフォンおよび第４マイクロフォンの一方とが上下方向に重ねた位置となるように、第１筐体及び第２筐体の少なくとも一方が回動されたとき、第１マイクロフォン及び第３マイクロフォンの一方と、第２マイクロフォン及び前記第４マイクロフォンの他方とは、互いに逆方向に指向性を有し、第１マイクロフォンと第３マイクロフォンとを結ぶ第１対角線と、第２マイクロフォンと第４マイクロフォンとを結ぶ第２対角線とが、略直交状態になるように第１筐体及び第２筐体の少なくとも一方が回動されたとき、第１マイクロフォンと第２マイクロフォンと第３マイクロフォンと第４マイクロフォンとは互いに異なる方向に指向性を有する。【０００９】
この録音装置によれば、第１筐体又は／及び第２筐体が回動されることによって、集音のための指向性が変化するため、使用者にとってより簡単に所望する指向性にすることができる。【００１０】
この録音装置のある局面によれば、第１マイクロフォンは第１筐体の側面近傍に配置され、録音装置は、第１筐体の天面上であって、第１マイクロフォンの近傍に設けられる第１センサを備え、前記制御部は、第１センサによる検出が為されると、第１マイクロフォンと対角方向に位置するマイクロフォンをオフにする、又は、該マイクロフォンから出力される音声信号に基づき前記第１マイクロフォンから出力される音声信号に含まれるノイズを軽減させる機能を有効化する。【００１１】
この録音装置によれば、例えば使用者はセンサを指定することで、検出したセンサの対角方向にあるマイクロフォンを、ノイズを軽減させるために使用できるため、所望するマイクロフォンからの音声信号をよりクリアに聴くことができる。【００１２】
この録音装置のある局面によれば、録音装置は、第１筐体の天面上に設けられる第３センサと第４センサとをさらに備え、第３センサと第４センサとは、第１筐体及び第２筐体の少なくとも一方が回動されることによって、第２対角線が第１対角線と略直交する場合に、第２対角線上に設けられ、第３センサによる検出が為されると、制御部は、第３センサの近傍に位置するマイクロフォンに対して対角方向に位置するマイクロフォンをオフにする又は、該マイクロフォンから出力される音声信号に基づき、第３センサの近傍に位置するマイクロフォンから出力される音声信号に含まれるノイズを軽減させる機能を有効化し、第４センサによる検出が為されると、制御部は、第４センサの近傍に位置するマイクロフォンに対して対角方向に位置するマイクロフォンをオフにする、又は、該マイクロフォンから出力される音声信号に基づき、第４センサの近傍に位置するマイクロフォンから出力される音声信号に含まれるノイズを軽減させる機能を有効化する。【００１３】
この録音装置のある局面によれば、録音装置は、第１筐体の天面上に設けられ、複数のマイクロフォンの状態を示す発光部をさらに備える。【００１４】
この録音装置によれば、マイクロフォンの状態が一目で分かるため、使用者はより直感的に操作が可能となる。【００１５】
この録音装置のある局面によれば、録音装置は、第１筐体の天面上に設けられて、回動軸近傍に録音された音声を出力するスピーカをさらに備える。
【発明の効果】
【００１６】
本発明の録音装置によれば、使用者が所望する録音形態をより直感的な操作で設定することが出来る。
【図面の簡単な説明】
【００１７】
【図１】本発明の一実施例に係るＩＣレコーダの斜視図である。
【図２】本発明の一実施例に係るＩＣレコーダの他の斜視図である。
【図３】本発明の一実施例に係るＩＣレコーダの他の斜視図である。
【図４】本発明の一実施例に係るＩＣレコーダの外観の一部を示す外観図である。
【図５】本発明の一実施例に係るＩＣレコーダの回路の一部を示す回路図である。
【図６】本発明の一実施例に係るＩＣレコーダが保持するテーブルの一部を示した図である。
【図７】本発明の一実施例に係るＩＣレコーダの第１状態を図解した図である。
【図８】本発明の一実施例に係るＩＣレコーダの第１状態を図解した他の図のである。
【図９】本発明の一実施例に係るＩＣレコーダの第２状態を図解した図である。
【図１０】本発明の一実施例に係るＩＣレコーダの第２状態を図解した他の図である。
【図１１】本発明の一実施例に係るＩＣレコーダの動作の一部を示すフローチャートである。
【図１２】本発明の一実施例に係るＩＣレコーダの動作の他の一部を示すフローチャートである。
【図１３】本発明の一実施例に係るＩＣレコーダの動作の他の一部を示すフローチャートの続きを示すフローチャートである。
【図１４】本発明の一実施例に係るＩＣレコーダの他の一部を示すフローチャートの続きを示すフローチャートである。
【発明を実施するための形態】
【００１８】
以下、本発明の録音装置の一実施例を図面に沿って具体的に説明する。この実施例では、本発明の音声記録装置がＩＣ（Integrated  Circuit）レコーダとして実現される。なお、図中同一または相当部分には同一符号を付してその説明は繰り返さない。
【００１９】
図１及び図３は、本発明の一実施形態に係るＩＣレコーダ（1）を矢印Ａの方向から見た斜視図であり、図２はＩＣレコーダ（1）を矢印Ｂの方向から見た斜視図であり、図４はＩＣレコーダ（1）を上方向から見た斜視図である。
【００２０】
ＩＣレコーダ(1)は、第１筐体(2)及び第２筐体(3)を含む。中間部材(8)を介して上下方向に重ねて第１筐体(2)及び第２筐体(3)が配置される。第２筐体(3)の上に第１筐体(1)が配設されている。第１筐体(2)及び第２筐体(3)は夫々円柱形状の筐体である。第１筐体(2)の天面(9)の円周に接する外周側面を介して筐体外部と通じるように、かつ第１筐体(2)の中心を通る直径線(52)上に位置するように、マイクロフォン(4)とマイクロフォン(6)とが設置される。同様に、第２筐体(3)の外周側面を介して、筐体外部と通じるように、かつ第２筐体(3)の中心を通る直径線(53)上に位置するように、マイクロフォン(5)とマイクロフォン(7)とが設置される。直径線(52)はマイクロフォン(4)とマイクロフォン(6)とを結ぶ対角線に対応する。直径線(53)はマイクロフォン(5)とマイクロフォン(7)とを結ぶ対角線に対応する。
【００２１】
第１筐体(2)は、第１筐体(2)の中心軸(51)を回動軸として反時計回りに９０度回動可能である。図１及び図２に示すような、マイクロフォン(4)とマイクロフォン(5)とが上下方向（第１筐体(2)の天面(9)に対して垂直方向）に位置している状態を第１状態と定義する。図３に示すような、マイクロフォン(4)とマイクロフォン(5)との間の相対位置が９０度となるように位置している状態を第２状態と定義する。第１状態では、直径線(52)と直径線(53)とは重なり合っている。第２状態では、直径線(52)は直径線(53)と直交する。
【００２２】
本実施例では、第１筐体(2)が回動可能とした構成を説明するが、第２筐体(3)が回動可能であってもよいし、第１筐体(2)及び第２筐体(3)の両者が回動可能であっても良い。第２筐体(3)が回動可能である場合は、第２筐体(3)の中心軸(51)を回動軸として時計回りに第２筐体(3)が回動する。
【００２３】
中間部材(8)には、図示しない第１ストッパと、図示しない第２ストッパとが設けられている。第１ストッパは、図１及び図２に示す第１状態において、第１筐体(2)に対し時計回りの回動を禁止する。第２ストッパは、図３に示す第２状態において、第１筐体(2)に対し反時計回りの回動を禁止する。つまり、第１筐体(2)は第２筐体(3)に対する相対角度が９０度以上回動しない構成である。
【００２４】
第１筐体(2)の天面(9)には、図４に示すようにＬＥＤ（Light  Emitting  Diode）タッチセンサ(10)(20)(30)(40)、再生ボタン(42)、録音ボタン(44)及び停止ボタン(46)が配置される。これらのセンサ及びボタンがタッチされる又は押下されることにより、ＩＣレコーダ(1)において各種動作が実行される。更に、第１筐体(2)の中心付近には、天面(9)を介して筐体外部と通じるようにスピーカ(36)が配置されている。
【００２５】
次に、本実施例のＩＣレコーダ(1)の電気的な構成を図５を参照して説明する。
ＩＣレコーダ（1）は、指向性を有するマイクロフォン(4)(5)(6)(7)を含む。ＣＰＵ（Central  Processing  Unit）（32）はＩＣレコーダ（1）の全体を制御する。ＣＰＵ（32）はバス（14）と接続されている。さらに、バス(14)には、ＡＤ／ＤＡ変換部(12)、フラッシュメモリ(18)、ＤＳＰ（Digital  Signal  Processor)(22)、外部メモリコントローラ(24)及びＳＤＲＡＭ（Synchronous  Dynamic  Random  Access  Memory）(28)が接続されている。フラッシュメモリ（18）は、ＣＰＵ（32）が実行するプログラム、及び該プログラムを実行するためのパラメータ等を記憶する。また、ＣＰＵ(32)には、マイクロフォン(4)(5)(6)(7)、ＬＥＤタッチセンサ(10)(20)(30)(40)、アンプ(34)、角度検出部(38)、再生ボタン(42)、録音ボタン(44)及び停止ボタン(46)が接続されている。
【００２６】
本実施例のＩＣレコーダ(1)は、録音モードとして“口述モード”、“会議モード”、“会話モード”、“音楽モード”、“お気に入りモード”を有し、使用者による選択若しくは第１筐体(1)の回動後の状態に応じて、いずれかのモードが選択される。例えば、“口述モード”が選択されると口述シーンに適した録音パラメータをＩＣレコーダ(1)は自動的に設定する。“会議モード”が選択されると会議シーンに適した録音パラメータをＩＣレコーダ(1)は自動的に設定する。“会話モード”が選択されると会話シーンに適した録音パラメータをＩＣレコーダ(1)は自動的に設定する。“音楽モード”が選択されると音楽シーンに適した録音パラメータをＩＣレコーダ(1)は自動的に設定する。“お気に入りモード”が選択されると、使用者によって予め決められた録音パラメータをＩＣレコーダ(1)は自動的に設定する。
【００２７】
録音パラメータとして、ＡＬＣ（オートレベルコントロール）、マイク感度、ローカットフィルタ、記録モード、ＶＡＳ（Ｖｏｉｃｅ  Ａｃｔｉｖｅ  Ｓｙｓｔｅｍ）及び録音ピークリミッタが用意されている。各設定値は、図６に示すように、各モードとの関係を示す対応テーブルとしてフラッシュメモリ(18)に記憶されている。
【００２８】
ＤＳＰ(22)はＡＬＣ機能、記録モード及び録音ピークリミッタ機能を実行する。ＣＰＵ(32)は対応テーブルを参照して、ＤＳＰ(22)を指示し、ＤＳＰ(22)は各モードに対応した録音パラメータの設定値に基づいて各処理を実行する。また、ＤＳＰ(22)はノイズキャンセル処理機能を有する。ＤＳＰ(22)は、ノイズキャンセル用マイクロフォンとして設定されたいずれかのマイクロフォン(4)(5)(6)(7)で集音され、ＡＤ／ＤＡ変換部(12)を経て入力されるデジタル音声信号に対して、逆位相の信号に変換する処理を施してキャンセル信号を生成する。そして、集音用マイクロフォンとして設定されたいずれかのマイクロフォン(4)(5)(6)(7)で集音され、ＡＤ／ＤＡ変換部(12)を経て入力されるデジタル音声信号のノイズを軽減するために、ＤＳＰ(22)は、各種処理が施された後のデジタル音声信号に対して、生成されたキャンセル信号を混合する。この処理をノイズキャンセル処理と定義する。
【００２９】
また、ＣＰＵ(32)は、マイク感度の切換及びＶＡＳ機能に対応しており、各モードに対応した機能の設定値に基づいて各処理を実行する。
【００３０】
ここで、各機能について説明する。ＡＬＣ機能とは処理対象とするデジタル音声信号の入力レベルを調整する機能である。ローカットフィルタ機能とは処理対象とするデジタル音声信号の低い帯域の音をカットする機能である。記録モードとは、設定モードに応じた圧縮方式（又は非圧縮方式）とビットレートとにて音声データを記録する機能である。ＶＡＳ機能とは、無音状態が発生したときに録音を一時的に停止する機能である。録音ピークリミッタ機能とは、処理対象とされたデジタル音声信号の入力レベルを所定の値以下に制限する機能である。
【００３１】
録音ボタン(44)が押下されることにより、録音が開始される。使用者は、録音開始前にマイクロフォン(4)(5)(6)(7)を選択的に集音用マイクロフォン（オン状態）に設定することが可能であり、かつ、選択的にノイズキャンセル用マイクロフォンとして指定することが可能である。なお、ノイズキャンセル用マイクロフォンとして設定されていないマイクロフォンが集音用マイクロフォンと設定されても良い。
【００３２】
全てのマイクロフォン又は選択されたマイクロフォンで集音された音声は、アナログ音声信号として出力され、マイクロフォン(4)(5)(6)(7)に接続されるＡＤ／ＤＡ変換部(12)へ入力される。ＡＤ／ＤＡ変換部(12)は、入力されたアナログ音声信号をデジタル音声信号に変換する。
【００３３】
ＡＤ／ＤＡ変換部(12)で変換されたデジタル音声信号はＤＳＰ(22)に入力され、設定されたモードに応じた処理や、キャンセル処理や他のさまざまな処理が施される。
【００３４】
処理が施されたデジタル音声信号は、ＳＤＲＡＭ(28)に一旦格納される。ＤＳＰ(22)は、ＳＤＲＡＭ(28)に格納されたデジタル音声信号を読出して、設定されたモードに応じた圧縮方式（非圧縮方式）及びビットレートで、そのデジタル音声信号を処理し、処理後の音声信号を音声データとしてＳＤＲＡＭ(28)へ一旦格納する。そして、ＣＰＵ（32）は外部メモリコントローラ（24）を制御して、ＳＤＲＡＭ（28）に格納されている音声データを外部メモリカード（26）へ記録を開始する。そして、停止ボタン(46)が押下されることにより、録音が終了される。記録された音声データは音声ファイルとして外部メモリカード(26)に記録される。本実施例では、マイクロフォンによる集音から外部メモリカード(26)に記録されるまでの処理を録音と定義する。
【００３５】
また、使用者によって外部メモリカード(26)に記録されている複数の音声ファイルから所望の音声ファイルが指定される。再生ボタン(42)が押下されることにより、指定された音声ファイルの再生が開始される。
【００３６】
ＣＰＵ(32)の制御によって、音声ファイルは外部メモリカード(26)から一旦ＳＤＲＡＭ(28)に格納される。ＤＳＰ(22)によって伸張処理などの再生するためのさまざまな処理が音声ファイルに施され、処理後の音声ファイルはデジタル音声再生信号としてＡＤ／ＤＡ変換部へ出力される。デジタル音声再生信号は、ＡＤ／ＤＡ変換部(12)にてアナログ再生信号に変換され、そのアナログ再生信号がアンプ(34)へ出力される。アンプ(34)は、アナログ再生信号に対してゲイン調整を行った後、スピーカ(36)へアナログ再生信号を出力する。スピーカ(36)はアナログ再生信号を音声として出力する。そして、停止ボタン(46)が押下されることにより、再生が終了する。本実施例では、音声ファイルが外部メモリカード(26)からＳＤＲＡＭ(28)へ一旦格納されてから、音声ファイルがアナログ再生信号としてスピーカ(36)へ出力されるまでの処理を再生と定義する。
【００３７】
また、天面(9)に配設されたＬＥＤタッチセンサ(10)(20)(30)(40)は、夫々ＬＥＤ(10a)(20a)(30a)(40a)及びセンサ(10b)(20b)(30b)(40b)を含む。使用者によってＬＥＤタッチセンサ(10)(20)(30)(40)がタッチされたことをセンサ(10b)(20b)(30b)(40b)が感知し、ＬＥＤ(10a)(20a)(30a)(40a)が発光する。ＬＥＤタッチセンサ(10)(20)(30)(40)のうち、タッチされたＬＥＤタッチセンサに対して下方向に位置している、いずれかのマイクロフォン(4)(5)(6)(7)を、集音用マイクロフォンに設定する、又はオフ状態（集音不可能状態若しくは集音したアナログ音声信号を出力しない状態）に切り換えることが可能である。また、ＬＥＤ(10a)(20a)(30a)(40a)は、自身の下方向に位置するマイクロフォンが集音用マイクロフォンに設定されている状態であれば、発光する。
【００３８】
更に、ＣＰＵ(32)内には図示しないレジスタが設けられており、レジスタにはフラグ(F10)(F20)(F30)(F40)が格納されている。このフラグ(F10)(F20)(F30)(F40)の値は、ＬＥＤ(10a)(20a)(30a)(40a)の発光状態に対応している。ＬＥＤが発光状態にあるときは、フラグの値は１であり、ＬＥＤが発光状態にないとき（非発光状態のとき）には、フラグの値は０である。
【００３９】
このように、集音用マイクロフォンに設定されているマイクロフォンの上方向に位置するＬＥＤが発光する。さらに、ＬＥＤタッチセンサがタッチされることによってＬＥＤタッチセンサの下方向に位置するマイクロフォンが、集音用マイクロフォンに又はオフ状態に切り換えられる。これにより使用者は直感的な操作でマイクロフォンの状態の設定が出来る。
【００４０】
上述したように、ＩＣレコーダ(1)は、使用者によって第１筐体(2)が回動されることにより、図１及び図２に示す第１状態から図３に示す第２状態に遷移する。角度検出部(38)は、第１筐体(2)の回動角を検出するものであり、第１状態にあるようなマイクロフォン(4)とマイクロフォン(5)とが上下方向に位置している状態からマイクロフォン(4)がどのくらい角度分動いたかを検出する。ＣＰＵ(32)は、検出された角度に応じて、上述した複数の録音モードの中からいずれかのモードを選択する。第１状態では、角度検出部(38)によって検出される角度は０度である。第２状態では、角度検出部(38)によって検出される角度は９０度である。
【００４１】
また、再生ボタン(42)が押下されることによって、再生が開始されると、第１筐体(2)の回動動作は、ボリュームを調整するためのつまみの回転に対応する。第１筐体(2)が回動されると、第１筐体(2)の回動角に応じて音声のボリュームが変更される。第１状態では、ボリュームは最低レベルであり、第２状態ではボリュームは最高レベルとなる。第１筐体(2)が反時計回りに回動されて、回動角度が９０度へ近づけば近づくほどボリュームのレベルが上がる。
【００４２】
図７〜図１０は、第１筐体(2)の回動角に応じて設定されるマイクロフォン(4)(5)(6)(7)の状態と録音モードとを説明するための、第１筐体(2)の上面から見た第１筐体(2)の簡略図である。
【００４３】
図７は、第１状態における電源投入直後若しくは第２状態から第１状態になるように第１筐体(2)が回動された直後のＩＣレコーダ(1)を示しており、ＬＥＤタッチセンサ(10)の下方向にマイクロフォン(4)(5)が位置し、ＬＥＤタッチセンサ(20)の下方向にマイクロフォン(6)(7)が位置している。第１状態における電源投入直後若しくは第１状態遷移直後においては、全てのマイクロフォン(4)(5)(6)(7)は集音用マイクロフォンとして設定されている。また、ＬＥＤタッチセンサ(10)(20)のみが機能し（有効化され）、ＬＥＤタッチセンサ(30b)(40b)は機能しない（無効化される）。また、ＬＥＤ(10a)(20a)は発光し、録音モードとして会話モードが自動的に設定され、ＩＣレコーダ(1)はスタンバイ状態となる。
【００４４】
ここで使用者によって録音ボタン(44)が押下されると、会話モードで録音が開始される。具体的には、図６に示すように、ＡＬＣ機能がオン、マイク感度が低、ローカットフィルタ機能がオン、記録モードとしてＭＰ３圧縮方式のビットレートが１２８ｋｂｐｓ、ＶＡＳ機能がオフ、録音ピークリミッタ機能がオフとして設定されて、マイクロフォン(4)(5)(6)(7)にて集音される音声に基づいて録音が開始される。そして、停止ボタン(46)が押下されることによって、録音が終了し、ＩＣレコーダ(1)はスタンバイ状態となる。
【００４５】
このスタンバイ状態において、使用者によってＬＥＤタッチセンサ(10)がタッチされると、図８に示すように、ＬＥＤタッチセンサ(10)の対角方向に配置されているＬＥＤタッチセンサ(20)のＬＥＤ(20a)の発光が禁止されると共に、ＩＣレコーダ(1)が口述モードに設定され、かつマイクロフォン(6)(7)がノイズキャンセル用マイクロフォンとして指定される。この状態で、録音ボタン(44)が押下されると、ノイズキャンセル処理を含んだ口述モードで録音が開始される。
【００４６】
具体的には、図６に示すように、ＡＬＣ機能がオン、マイク感度が低、ローカットフィルタ機能がオン、記録モードとしてＭＰ３圧縮方式のビットレートが６４ｋｂｐｓ、ＶＡＳ機能がオフ、録音ピークリミッタ機能がオフとして設定されて、マイクロフォン(4)(5)にて集音される音声と、ノイズキャンセル用としてマイクロフォン(6)(7)にて集音される音声とに基づいて録音が開始される。そして、停止ボタン(46)が押下されることによって、録音が終了し、ＩＣレコーダ(1)はスタンバイ状態となる。
【００４７】
図９は、第２状態における電源投入直後若しくは第１状態から第２状態になるように第１筐体(2)が回動された直後のＩＣレコーダ(1)を示しており、ＬＥＤタッチセンサ(10)の下方向にマイクロフォン(4)が位置し、ＬＥＤタッチセンサ(20)の下方向にマイクロフォン(6)が位置し、ＬＥＤタッチセンサ(30)の下方向にマイクロフォン(5)が位置し、ＬＥＤタッチセンサ(40)の下方向にマイクロフォン(7)が位置している。第２状態における電源投入直後若しくは第２状態遷移直後は全てのマイクロフォン(4)(5)(6)(7)は集音用マイクロフォンとして設定され、全てのＬＥＤタッチセンサ(10)(20)(30)(40)が有効化される。また、ＬＥＤ(10a)(20a)(30a)(40a)が発光し、録音モードとして会議モードが自動的に設定され、ＩＣレコーダ(1)はスタンバイ状態となる。
【００４８】
ここで、使用者によって録音ボタン(44)が押下されると、会議モードで録音が開始される。具体的には、図６に示すように、ＡＬＣ機能がオン、マイク感度が高、ローカットフィルタ機能がオン、記録モードとしてＭＰ３圧縮方式のビットレートが１２８ｋｂｐｓ、ＶＡＳ機能がオフ、録音ピークリミッタ機能がオフとして設定されて、マイクロフォン(4)(5)(6)(7)にて集音される音声に基づいて録音が開始される。そして、停止ボタン(46)が押下されることによって、録音が終了し、ＩＣレコーダ(1)はスタンバイ状態となる。
【００４９】
このスタンバイ状態において、使用者によってＬＥＤタッチセンサ(20)及びＬＥＤタッチセンサ(40)がタッチされると、図１０に示すように、ＬＥＤタッチセンサ(20)の対角方向に配置されているＬＥＤタッチセンサ(10)のＬＥＤ(10a)の発光が禁止されると共に、ＬＥＤタッチセンサ(40)の対角方向に配置されているＬＥＤタッチセンサ(30)のＬＥＤ(30a)の発光が禁止される。そして、マイクロフォン(4)(5)がノイズキャンセル用マイクロフォンとして指定される。この状態で録音ボタン(44)が押下されると、会議モードでかつノイズキャンセル処理を含んだ録音が開始される。
【００５０】
次に、図１１〜図１４に示す、録音と再生タスク及びモード選択タスクのフローチャートを参照して、上述した処理を説明する。これらの処理は、フラッシュメモリ(18)に格納されている夫々のプログラムをＣＰＵ(32)が実行することにより、実現される。
【００５１】
まず、録音と再生タスクについて図１１を参照して説明する。
ＩＣレコーダ(1)に電源が投入されると、ＣＰＵ(32)はステップＳ１０１において録音ボタン(44)が押下されたか否かを判別する。ステップＳ１０１においてＹＥＳと判別されると、処理はステップＳ１０３へ進み、ＣＰＵ(32)は録音を開始させるべく各部を制御する。次に処理はステップＳ１０５へ進み、ＣＰＵ(32)は停止ボタン(46)が押下されたか否かを判別する。ＹＥＳと判別されるまで、ＣＰＵ(32)は該判別を繰り返す。ここでＹＥＳと判別されると処理はステップＳ１０７へ進み、ＣＰＵ(32)は録音を終了させるべく各部を制御し、処理はステップＳ１０１へ戻る。
【００５２】
ステップＳ１０１においてＮＯと判別されると、処理はステップＳ１０９へ進み、ＣＰＵ(32)は再生ボタン(42)が押下されたか否かを判別する。ステップＳ１０９においてＮＯと判別されると処理はステップＳ１０１へ戻り、ＹＥＳと判別されると、処理はステップＳ１１１へ進む。ここで、ステップＳ１０１及びステップＳ１０９においてＹＥＳと判別されず、ＣＰＵ(32)が該判別を繰り返し行っている状態がスタンバイ状態に該当する。
【００５３】
ステップＳ１１１では、ＣＰＵ(32)は再生を開始させるべく各部を制御する。次に処理はステップＳ１１３へ進み、ＣＰＵ(32)は停止ボタン(46)が押下されたか否かを判別し、ＹＥＳと判別されるまで、ＣＰＵ(32)は該判別を繰り返す。ここでＹＥＳと判別されると処理はステップＳ１１５へ進み、ＣＰＵ(32)は再生を終了させるべく各部を制御し、処理はステップＳ１０１へ戻る。
【００５４】
次に、モード選択タスクについて図１２〜図１４を参照して説明する。このモード選択タスクは、録音と再生タスクにおけるステップＳ１０１又はステップＳ１０９においてＹＥＳと判別されると強制的に終了され、電源が投入されるか、ステップＳ１０７又はステップＳ１１５のステップが終了すると、実行される。
【００５５】
ＣＰＵ(32)は、ステップＳ２０１において、角度検出部(38)で検出される角度が０度であるか否かを判別する。ステップＳ２０１においてＹＥＳと判別されると、処理はステップＳ２０３へ進み、ＣＰＵ(32)は会話モードを設定すると共に、フラグ(F10)とフラグ(F20)との値を１に設定する。次に処理はステップＳ２０５へ進み、ＣＰＵ(32)はＬＥＤタッチセンサ(10)(20)を有効化して、ＬＥＤタッチセンサ(30)(40)を無効化し、ＬＥＤ(10a)(20a)を発光させる。次に処理はステップＳ２０７へ進み、ＣＰＵ(32)はマイクロフォン(4)(5)(6)(7)を集音用マイクロフォンに設定する。
【００５６】
次に処理はステップＳ２０９へ進み、ＣＰＵ(32)はＬＥＤタッチセンサ(10)がタッチされたか否かを判別する。ステップＳ２０９においてＮＯと判別されると処理はステップＳ２２３へ進み、ＹＥＳと判別されると処理はステップＳ２１１へ進む。ステップＳ２１１では、ＣＰＵ(32)はフラグ(F20)の値が１であるか否かを判別する。ステップＳ２２３においてＮＯと判別されると処理はステップＳ２２５へ進み、ＹＥＳと判別されると処理はステップＳ２１３へ進む。ＣＰＵ(32)はステップＳ２１３ではフラグ(F10)の値が１であるか否かを判別し、ＮＯと判別すると処理はステップＳ２１９へ進む。ステップＳ２１９では、ＣＰＵ(32)は会話モードを設定し、ＬＥＤ(10a)を発光させ、フラグ(F10)の値を１に設定する。次に処理はステップＳ２２１へ進み、ＣＰＵ(32)はマイクロフォン(4)(5)を集音用マイクロフォンとして設定して、処理はステップＳ２２３へ進む。
【００５７】
ステップＳ２１３においてＹＥＳと判別されると、処理はステップＳ２１５へ進み、ＣＰＵ(32)はＬＥＤ(20a)を非発光にしてフラグ(F20)の値を０に設定する。そして、処理はステップＳ２１７へ進み、ＣＰＵ(32)はマイクロフォン(6)(7)をノイズキャンセル用マイクロフォンとして設定し、処理はステップＳ２２３へ進む。ステップＳ２２３では、ＣＰＵ(32)は角度検出部(38)で検出される角度が０度であるか否かを判別し、ＹＥＳと判別するとステップＳ２０９へ戻り、ＮＯと判別すると処理はステップＳ２２４へ進む。
【００５８】
ステップＳ２１１においてＮＯと判別されると、処理はステップＳ２２５へ進み、ＣＰＵ(32)はＬＥＤタッチセンサ(20)がタッチされたか否かを判別する。ステップＳ２２５においてＹＥＳと判別されると処理はステップＳ２２７へ進み、ＣＰＵ(32)はフラグ(F10)の値が１であるか否かを判別する。ステップＳ２２７においてＹＥＳと判別されると処理はステップＳ２２９へ進み、ＣＰＵ(32)はフラグ(F20)の値が１であるか否かを判別する。ステップＳ２２９においてＹＥＳと判別されると処理はステップＳ２３１へ進み、ＮＯと判別されると処理はステップＳ２３５へ進む。なお、ステップＳ２２５及びステップＳ２２７においてＮＯと判別されると、処理はステップＳ２２３へ進む。
【００５９】
ステップＳ２３１では、ＣＰＵ(32)は録音モードとして口述モードを設定し、ＬＥＤ(10a)を非発光にしてフラグ(F10)の値を０に設定する。次に処理はステップＳ２３３へ進み、ＣＰＵ(32)はマイクロフォン(4)(5)をノイズキャンセル用マイクロフォンとして設定し処理はステップＳ２２３へ進む。
【００６０】
ステップＳ２３５では、ＣＰＵ(32)は録音モードとして会話モードを設定し、ＬＥＤ(20a)を発光させ、フラグ(F20)の値を１に設定する。そして、処理はステップＳ２３７へ進み、ＣＰＵ(32)はマイクロフォン(6)(7)を集音用マイクロフォンとして設定し、処理はステップＳ２２３へ進む。
【００６１】
ステップＳ２０１でＮＯと判別された場合、及びステップＳ２２３においてＮＯと判別された場合は、処理はステップＳ２２４へ進む。ステップＳ２２４では、ＣＰＵ(32)は録音モードとして会議モードを設定し、フラグ(F10)(F20)(F30)(F40)の値を１に設定する。次に、処理はステップＳ２２６へ進み、ＣＰＵ(32)はＬＥＤタッチセンサ(10)(20)(30)(40)を有効化して、ＬＥＤ(10a)(20a)(30a)(40a)を発光させ、処理はステップＳ２３９へ進む。
【００６２】
ステップＳ２３９では、ＣＰＵ(32)はいずれかのＬＥＤタッチセンサ(10)(20)(30)(40)がタッチされたか否かを判別する。ステップＳ２３９においてＮＯと判別されると、処理はステップＳ２５３へ進み、ＹＥＳと判別されると処理はステップＳ２４１に進む。
【００６３】
ステップＳ２４１において、ＣＰＵ(32)はタッチされたＬＥＤタッチセンサに対応するフラグの値は１であるか否かを判別する。このステップでは、例えば、タッチされたＬＥＤタッチセンサがＬＥＤタッチセンサ(10)であった場合、ＣＰＵ(32)はフラグ(F10)の値が１であるか否かを判別する。ステップＳ２４１においてＮＯと判別されると、処理はステップＳ２４３へ進み、ＣＰＵ(32)はタッチされたＬＥＤタッチセンサのＬＥＤを発光させ、タッチされたＬＥＤタッチセンサに対応するフラグの値を１に設定する。このステップでは、例えば、タッチされたＬＥＤタッチセンサがＬＥＤタッチセンサ(10)であった場合に、ＣＰＵ(32)はＬＥＤ(10a)を発光させ、フラグ(F10)の値を１に設定する。
【００６４】
次に、処理はステップＳ２４５へ進み、ＣＰＵ(32)はタッチされたＬＥＤタッチセンサの下に位置するマイクロフォンを集音用マイクロフォンとして設定する。このステップでは、例えばタッチされたＬＥＤタッチセンサがＬＥＤタッチセンサ(10)であった場合に、ＣＰＵ(32)はマイクロフォン(4)を集音用マイクロフォンとして設定する。
【００６５】
ステップＳ２４１においてＹＥＳと判別された場合は、処理はステップＳ２４７へ進み、ＣＰＵ(32)はタッチされたＬＥＤタッチセンサの対角方向に位置するＬＥＤタッチセンサに対応するフラグの値が１であるか否かを判別する。このステップでは、例えばタッチされたＬＥＤタッチセンサがＬＥＤタッチセンサ(10)であった場合に、ＣＰＵ(32)はＬＥＤタッチセンサ(20)に対応するフラグ(F20)の値が１であるか否かを判別する。
【００６６】
ステップＳ２４７においてＮＯと判別された場合は、処理はステップＳ２５３へ進み、ＹＥＳと判別された場合は、処理はステップＳ２４９へ進む。ステップＳ２４９では、ＣＰＵ(32)は、タッチされたＬＥＤタッチセンサの対角方向に位置するＬＥＤタッチセンサのＬＥＤを非発光にする。このステップでは、例えばタッチされたＬＥＤタッチセンサがＬＥＤタッチセンサ(10)であった場合に、ＣＰＵ(32)はＬＥＤ(20a)を非発光にする。
【００６７】
次に処理はステップＳ２５１へ進み、ＣＰＵ(32)はタッチされたＬＥＤタッチセンサの対角方向に位置するマイクロフォンをノイズキャンセル用マイクロフォンとして設定する。このステップでは、例えばタッチされたＬＥＤタッチセンサがＬＥＤタッチセンサ(10)であった場合に、ＣＰＵ(32)はマイクロフォン(6)をノイズキャンセル用マイクロフォンとして設定する。そして、処理はステップＳ２５３へ進み、ＣＰＵ(32)は角度検出部(38)で検出される角度が０度であるか否かを判別する。ステップＳ２５３において、ＹＥＳと判別されると処理はステップＳ２０９へ戻り、ＮＯと判別されると処理はステップＳ２３９へ戻る。
【００６８】
なお、本実施例においては、ＬＥＤが発光状態にあるＬＥＤタッチセンサがタッチされると、タッチされたＬＥＤタッチセンサの対角方向に位置するマイクロフォンがノイズキャンセル用マイクロフォンとして設定される。しかし、センサの下に位置するマイクロフォンをノイズキャンセル用マイクロフォンとして設定しても良い。この場合、例えば、第２状態において、センサ(10b)がタッチされると、マイクロフォン(4)がノイズキャンセル用マイクロフォンとして設定されても良い。なお、マイクロフォン(4)が既にノイズキャンセル用マイクロフォンとして設定されている場合は、センサ(10b)がタッチされると、マイクロフォン(4)が集音用マイクロフォンとして設定される。
【００６９】
また、ＬＥＤが発光状態にあるＬＥＤタッチセンサがタッチされると、タッチされたＬＥＤタッチセンサ以外のＬＥＤタッチセンサの下に位置するマイクロフォンをノイズキャンセル用マイクロフォンに設定しても良い。例えば、第２状態においてＬＥＤタッチセンサ(10)がタッチされると、マイクロフォン(5)(6)(7)がノイズキャンセル用マイクロフォンとして設定される。なお、マイクロフォン(4)が既にノイズキャンセル用マイクロフォンとして設定されている場合は、ＬＥＤタッチセンサ(10)がタッチされると、マイクロフォン(4)が集音用マイクロフォンとして設定される。
【００７０】
今回開示された実施の形態はすべての点で例示であって制限的なものでないと考えられるべきである。本発明の範囲は上記した説明ではなくて請求の範囲によって示され、請求の範囲と均等の意味および範囲内でのすべての変更が含まれることが意図される。
【符号の説明】
【００７１】
１  ＩＣレコーダ、２  第１筐体、３  第２筐体、４  マイクロフォン、５  マイクロフォン、６  マイクロフォン、７  マイクロフォン、９  天面、１０  ＬＥＤタッチセンサ、２０  ＬＥＤタッチセンサ、２２  ＤＳＰ、３０  ＬＥＤタッチセンサ、３２  ＣＰＵ、３６  スピーカ、３８  角度検出部、４０  ＬＥＤタッチセンサ、４２  再生ボタン、４４  録音ボタン、４６  停止ボタン。
【図１】
2012124422.tif 000003
【図２】
2012124422.tif 000004
【図３】
2012124422.tif 000005
【図４】
2012124422.tif 000006
【図５】
2012124422.tif 000007
【図６】
2012124422.tif 000008
【図７】
2012124422.tif 000009
【図８】
2012124422.tif 000010
【図９】
2012124422.tif 000011
【図１０】
2012124422.tif 000012
【図１１】
2012124422.tif 000013
【図１２】
2012124422.tif 000014
【図１３】
2012124422.tif 000015
【図１４】
2012124422.tif 000016
【国際調査報告】
2012124422.tif 000017
2012124422.tif 000018